(57)【要約】【課題】  本発明は屋外設置装置の冷却構造に係り、外部ファンや内部ファンを用いることなく、屋外ボックス内に収容したＯＮＵ等の屋外設置装置の確実な放熱，冷却を可能とした屋外設置装置の冷却構造を提供することを目的とする。【解決手段】  上下に放熱穴が開口するメタルボックス内に電子部品が収容された屋外設置装置と、メタルボックスの背面側外周に取り付くヒートシンクと、屋外設置装置を密閉状態に収容する屋外ボックスと、該屋外ボックスの外周に取り付き、複数の吸気穴と排気穴が開口する放熱ボックスとからなり、屋外ボックスと放熱ボックスとの間にヒートシンク挿通口を設け、ヒートシンクをヒートシンク挿通口から放熱ボックス内に挿通させて、メタルボックスの背面側をヒートシンク挿通口周縁の屋外ボックスに密着固定すると共に、放熱ボックス内に、吸気穴からの冷却空気をヒートシンクへ案内する複数の整流ガイド板を設けた。【選択図】    図３
2010238706.tif 000002
【特許請求の範囲】
【請求項１】
上下に放熱穴が開口するメタルボックス内に電子部品が収容された屋外設置装置と、
前記メタルボックスの背面側外周に取り付くヒートシンクと、
前記屋外設置装置を密閉状態に収容する屋外ボックスと、
該屋外ボックスの外周に取り付き、複数の吸気穴と排気穴が開口する放熱ボックスとからなり、
前記屋外ボックスと放熱ボックスとの間にヒートシンク挿通口を設け、
前記ヒートシンクを前記ヒートシンク挿通口から放熱ボックス内に挿通させて、メタルボックスの背面側をヒートシンク挿通口周縁の屋外ボックスに密着固定すると共に、
前記放熱ボックス内に、前記吸気穴からの冷却空気をヒートシンクへ案内する複数の整流ガイド板を設けたことを特徴とする屋外設置装置の冷却構造。
【請求項２】
複数の前記整流ガイド板を、上方への整流ガイド板へと順次、前記ヒートシンク方向へ長尺に形成したことを特徴とする請求項２に記載の屋外設置装置の冷却構造。
【請求項３】
前記整流ガイド板の基部を上方へ傾斜させると共に、整流ガイド板の先端側を更に上方へ折曲させたことを特徴とする請求項１または請求項２に記載の屋外設置装置の冷却構造。
【請求項４】
前記ヒートシンクを、メタルボックスの上下方向に亘るプレートを複数並列して形成すると共に、隣接するプレート相互の長さ寸法を変えて、ヒートシンクの下部を、プレート間に冷却空気が流入し易い冷却空気流入形状としたことを特徴とする請求項１乃至請求項３のいずれか１項に記載の屋外設置装置の冷却構造。
【請求項５】
前記放熱ボックスの底部に設けた下側吸気穴に比し、放熱ボックスの上部に設けた上側排気穴の面積を大きくしたことを特徴とする請求項１乃至請求項４のいずれか１項に記載の屋外設置装置の冷却構造。
【請求項６】
前記屋外設置装置を屋外ボックスの上方に配置し、屋外ボックスと放熱ボックスの上側に比し下側に、広い空間を確保したことを特徴とする請求項１乃至請求項５のいずれか１項に記載の屋外設置装置の冷却構造。
【請求項７】
前記放熱ボックスを、光ファイバーの余長処理ボックスとしたことを特徴とする請求項１乃至請求項６のいずれか１項に記載の屋外設置装置の冷却構造。
【発明の詳細な説明】
【技術分野】
【０００１】
本発明は屋外設置装置の冷却構造に係り、詳しくは屋外ボックス内に収容したＯＮＵ等の屋外装置を、外部ファンや内部ファンを用いることなく自然空冷によって放熱，冷却を図る屋外設置装置の冷却構造に関する。
【背景技術】
【０００２】
従来、屋外設置のネットワーク装置等は、防滴用の密閉構造からなる屋外ボックス内に収容されて、屋外ボックスの空間体積を利用して放熱，冷却が図られているが、装置の小型化，高密度化に伴い発熱による冷却が大きな問題となっている。
【０００３】
そこで、昨今では、真夏の日射等の影響を考慮して、屋外ボックスを大型化することで装置を冷却する大きな空間体積を確保したり、また、特許文献１に開示されるように屋外ボックスの中にファンを実装し、屋外ボックス内の空気をこの内部ファンで循環させることで、装置の冷却を図る強制空冷が広く用いられている。
【先行技術文献】
【特許文献】
【０００４】
【特許文献１】特開平１０−８９８２０号公報
【発明の概要】
【発明が解決しようとする課題】
【０００５】
ところで、今日、アクセス系装置に於ては、マンションの軒下や戸建ての屋外壁面に設置するＯＮＵ等の小型のネットワーク装置が増加しているのが現状である。
【０００６】
しかし、既述したように屋外ボックスを大型化して大きな空間体積を確保することでＯＮＵ等の冷却を図る従来構造では、屋外ボックスの外形形状が大きくなるため、ＯＮＵ等がいくら小型化されても屋外ボックスとしてみると装置の小型化を阻害しており、屋外に大きな設置領域が必要になっている。
【０００７】
一方、内部ファンを用いた強制空冷にあっては、ファンを用いることで騒音問題が発生して住民環境に影響を及ぼす虞があり、また、ファンの故障，寿命等による保守点検が必要になる等、マンションの軒下や戸建ての屋外壁面に設置するに当たって、これらの冷却方法は効率的な運用，使用方法とはいえなかった。
【０００８】
本発明は斯かる実情に鑑み案出されたもので、外部ファンや内部ファンを用いることなく、屋外ボックス内に収容したＯＮＵ等の屋外設置装置の確実な放熱，冷却を可能とした屋外設置装置の冷却構造を提供することを目的とする。
【課題を解決するための手段】
【０００９】
斯かる目的を達成するため、請求項１に係る屋外設置装置の冷却構造は、上下に放熱穴が開口するメタルボックス内に電子部品が収容された屋外設置装置と、前記メタルボックスの背面側外周に取り付くヒートシンクと、前記屋外設置装置を密閉状態に収容する屋外ボックスと、該屋外ボックスの外周に取り付き、複数の吸気穴と排気穴が開口する放熱ボックスとからなり、前記屋外ボックスと放熱ボックスとの間にヒートシンク挿通口を設け、前記ヒートシンクを前記ヒートシンク挿通口から放熱ボックス内に挿通させて、メタルボックスの背面側をヒートシンク挿通口周縁の屋外ボックスに密着固定すると共に、前記放熱ボックス内に、前記吸気穴からの冷却空気をヒートシンクへ案内する複数の整流ガイド板を設けたことを特徴とする。
【００１０】
そして、請求項２に係る発明は、請求項１に記載の屋外設置装置の冷却構造に於て、複数の前記整流ガイド板を、上方への整流ガイド板へと順次、前記ヒートシンク方向へ長尺に形成したことを特徴とし、請求項３に係る発明は、請求項１または請求項２に記載の屋外設置装置の冷却構造に於て、前記整流ガイド板の基部を上方へ傾斜させると共に、整流ガイド板の先端側を更に上方へ折曲させたことを特徴とする。
【００１１】
また、請求項４に係る発明は、請求項１乃至請求項３のいずれか１項に記載の屋外設置装置の冷却構造に於て、前記ヒートシンクを、メタルボックスの上下方向に亘るプレートを複数並列して形成すると共に、隣接するプレート相互の長さ寸法を変えて、ヒートシンクの下部を、プレート間に冷却空気が流入し易い冷却空気流入形状としたことを特徴とし、請求項５に係る発明は、請求項１乃至請求項４のいずれか１項に記載の屋外設置装置の冷却構造に於て、前記放熱ボックスの底部に設けた下側吸気穴に比し、放熱ボックスの上部に設けた上側排気穴の面積を大きくしたことを特徴とする。
【００１２】
更に、請求項６に係る発明は、請求項１乃至請求項５のいずれか１項に記載の屋外設置装置の冷却構造に於て、前記屋外設置装置を屋外ボックスの上方に配置し、屋外ボックスと放熱ボックスの上側に比し下側に、広い空間を確保したことを特徴とし、請求項７に係る発明は、請求項１乃至請求項６のいずれか１項に記載の屋外設置装置の冷却構造に於て、前記放熱ボックスを、光ファイバーの余長処理ボックスとしたことを特徴とする。
【発明の効果】
【００１３】
請求項１に係る発明によれば、外部ファンや内部ファンを用いず、また、屋外設置装置に制御機能を持たせることなく、メタルボックス内の電子部品の放熱を自然空冷で実現することが可能となり、冷却によるファンの騒音問題もなくなり、更に冷却のための保守交換が必要なくなって信頼性が向上する利点を有する。
【００１４】
そして、請求項２に係る発明によれば、上方への整流ガイド板へと整流ガイド板を順次ヒートシンク方向へ長尺に形成することで、吸気穴から流入した冷却空気がヒートシンクへと積極的に案内されてヒートシンクの熱が冷却空気で良好に放熱され、また、請求項３に係る発明によれば、余長処理ボックス内への冷却空気の流入速度を速めることが可能となる。
【００１５】
また、請求項４に係る発明によれば、放熱ボックス内に流入した冷却空気が、ヒートシンクを迂回することなくスムーズにヒートシンクのプレート間を流下するため、ヒートシンクの熱が冷却空気で良好に放熱される利点を有する。
【００１６】
更に、請求項５に係る発明によれば、放熱ボックス内で熱交換されて暖まった冷却空気が、放熱ボックスの上部に設けた上側排気穴からスムーズに外部に排気される。
【００１７】
一方、請求項６に係る発明によれば、屋外ボックスと放熱ボックスの下側に広い空間を確保することで、屋外ボックス内を循環空気がスムーズに対流し、放熱ボックス内に冷却空気がスムーズに流入する利点を有する。
【００１８】
そして、請求項７に係る発明によれば、放熱ボックスを光ファイバーの余長処理ボックスとして利用することで、放熱ボックスの幅広い活用が図れる利点を有する。
【図面の簡単な説明】
【００１９】
【図１】請求項１乃至請求項７の一実施形態に係る屋外ボックスと余長処理ボックスの全体斜視図である。
【図２】メタルボックスと屋外ボックスの全体斜視図である。
【図３】屋外ボックスと余長処理ボックスの断面図である。
【図４】ヒートシンクの全体斜視図である。
【発明を実施するための形態】
【００２０】
以下、本発明の実施形態を図面に基づいて詳細に説明する。
【００２１】
図１乃至図４は請求項１乃至請求項７に係る屋外設置装置の冷却構造の一実施形態を示し、図１に於て、１はトランクケース状に形成された防滴用の密閉構造からなる金属製の屋外ボックスで、図２及び図３に示すようにその背面３の左右上部に、夫々、後述するヒートシンク５が挿通可能な正面視矩形状のヒートシンク挿通口７，９が設けられており、両ヒートシンク挿通口７，９の周縁にはフランジ１１が後方へ突設されている。
【００２２】
そして、図１乃至図３に示すように前記屋外ボックス１の背面３の内周に、メタルボックス１３の内部に電子部品１５を収容したＯＮＵ（屋外設置装置）１７が取り付けられており、図３に示すようにプリント基板１９に実装された電子部品１５は、夫々、熱伝導シール２１とヒートシンク２３を介してメタルボックス１３の内周に取り付けられている。
【００２３】
また、図１乃至図３に示すようにメタルボックス１３の上面と底面には、屋外ボックス１内を対流する循環空気Ａ１が流出入する複数の放熱穴２５，２７が設けられている。
【００２４】
更に、図２に示すようにメタルボックス１３の背面側に、前記ヒートシンク挿通口７，９に対応して２つのヒートシンク５が熱伝導性のよい１枚の取付プレート２９を介して取り付けられており、屋外ボックス１の背面３へのＯＮＵ１７の取付けに当たり、図２及び図３に示すように左右のヒートシンク５を、夫々、左右のヒートシンク挿通口７，９に挿通させて、メタルボックス１３の背面側をヒートシンク挿通口７，９周縁の屋外ボックス１にネジ止めしている。そして、ヒートシンク５の基台３１と前記フランジ１１との間にＯ−リング３３が介装されて、メタルボックス１３と屋外ボックス１の接合部の密閉性が確保されている。
【００２５】
尚、図２中、３５はメタルボックス１３の上部を屋外ボックス１の背面３に固定する固定ブラケットである。
【００２６】
図４に示すようにヒートシンク５は、基台３１上に、メタルボックス１３の上下方向に亘るプレート３７を横方向に複数並列した構造からなり、図３に示すようにヒートシンク５の下側から上方へと各プレート３７間を冷却空気Ａ２が流下するように構成されている。そして、本実施形態は、各プレート３７間への冷却空気Ａ２の良好な流入を図るため、隣接するプレート３７相互の長さ寸法を変えて、図２及び図４に示すようにヒートシンク５の下側を、上方へ正面視円弧状に切り欠いたかの如き冷却空気流入形状を形成しており、斯かる形状にすることでヒートシンク５の熱抵抗が軽減し、また、間口が広がることで、冷却空気Ａ２がヒートシンク５を迂回することなくスムーズにヒートシンク５の下側からプレート３７間に流入できるようになっている。
【００２７】
そして、図１及び図３に示すように屋外ボックス１の背面３を覆ってその背面３側外周に、ＯＮＵ１７に接続する光ファイバー３９を余長処理する余長処理ボックス（放熱ボックス）４１が取り付けられている。
【００２８】
図１に示すように余長処理ボックス４１は、前方が開口した５面体のボックス形状からなり、その開口側の内周縁が屋外ボックス１の背面側外周に接合されている。そして、余長処理ボックス４１の底面と下部周壁に複数の吸気穴４３，４５が形成され、上面と上部周壁に複数の排気穴４７，４９が形成されているが、空気の熱膨張を考慮して余長処理ボックス４１の上面の排気穴４７は底面の吸気穴４３に比し面積を大きくしている。
【００２９】
そして、既述したように屋外ボックス１の背面３の左右上部に設けたヒートシンク挿通口７，９をヒートシンク５が夫々挿通して、両ヒートシンク５が余長処理ボックス４１内に突出して配置されているが、図１及び図３に示すように、ヒートシンク５の設置高さに対応して４枚の整流ガイド板５１，５３，５５，５７が、余長処理ボックス４１の背面側内周に設けられている。
【００３０】
前記整流ガイド板５１，５３，５５，５７は、ヒートシンク５に沿って上下方向へ同一線上に配置されている。そして、整流ガイド板５１，５３，５５，５７は、最下段の整流ガイド板５１から上方への整流ガイド板５３，５５，５７へと、順次、ヒートシンク５方向へ長尺に形成されており、斯かる構造によって、吸気穴４３，４５から流入した冷却空気Ａ２をヒートシンク５方向へ積極的に案内するようになっている。
【００３１】
また、各整流ガイド板５１，５３，５５，５７の基部は、夫々、余長処理ボックス４１の背面側内周に対し上方へ傾斜し、更に、整流ガイド板５１，５３，５５，５７の先端側は夫々上方へ折曲されて、吸気穴４５からの冷却空気Ａ２の流入速度を上げるように構成されている。そして、斯様にメタルボックス１３(ＯＮＵ１７)や整流ガイド板５１，５３，５５，５７を屋外ボックス１や余長処理ボックス４１の上側に配置することで、図３に示すように屋外ボックス１と余長処理ボックス４１の下側は、上側に比し広い空間５９，６１が確保されている。
【００３２】
そして、前記屋外ボックス１は、余長処理ボックス４１の背面側に設けた取付ブラケット６３を介してマンションや戸建ての屋外壁面６５に取り付けられている。
【００３３】
その他、図３中、Ｈは日射である。
【００３４】
本実施形態はこのように構成されているから、外部から引き込まれた光ファイバー３９は、余長処理ボックス内で余長処理されてＯＮＵ１７に接続される。
【００３５】
そして、メタルボックス１３内（ＯＮＵ１７）の電子部品１５の熱は、ヒートシンク２３を介してメタルボックス１３に放熱される。
【００３６】
而して、メタルボックス１３が配置された屋外ボックス１は下側に広い空間５９が確保されているため、屋外ボックス１内を循環空気Ａ１が良好に対流し乍ら、放熱穴２７，２５を介してタルボックス１３に流入，流出することで、メタルボックス１３の熱が屋外ボックス１の空間体積を使用して放熱されると共に、ヒートシンク５を介して余長処理ボックス４１へ放熱される。
【００３７】
余長処理ボックス４１では、底面と下部周壁に設けた複数の吸気穴４３，４５から冷却空気Ａ２が流入して、上面と上部周壁に設けた複数の排気穴４７，４９から冷却空気Ａ２が外部へと流出するが、既述したように余長処理ボックス４１の下側に広い空間６１が確保されているため、吸気穴４３，４５から冷却空気Ａ２が良好に流入する。
【００３８】
而も、整流ガイド板５１，５３，５５，５７の基部が余長処理ボックス４１の背面側内周に対し上方へ傾斜し、更に、整流ガイド板５１，５３，５５，５７の先端側が夫々上方へ折曲されているため、吸気穴４５からの余長処理ボックス４１内への冷却空気Ａ２の流入速度が速まると共に、整流ガイド板５１，５３，５５，５７は、最下段の整流ガイド板５１から上方への整流ガイド板５３，５５，５７へと、順次、ヒートシンク５方向へ長尺に形成されているため、吸気穴４３，４５から流入した冷却空気Ａ２がヒートシンク５方向へと積極的に案内されて、ヒートシンク５の熱が冷却空気Ａ２で放熱されることとなる。
【００３９】
そして、図２及び図４に示すようにヒートシンク５の下側は、ヒートシンク５の熱抵抗を軽減させるために上方へ正面視円弧状に切り欠かれた如き形状となって間口が広がっているため、下方の吸気穴４３，４５から余長処理ボックス４１内に流入した冷却空気Ａ２が、ヒートシンク５を迂回することなくスムーズにヒートシンク５の下側からプレート３７間を流下して、ヒートシンク５の熱が冷却空気Ａ２で放熱されることとなる。そして、空気の熱膨張を考慮して余長処理ボックス４１の上面の排気穴４７を底面の吸気穴４３に比し面積を大きくしてあるため、熱交換されて暖まった冷却空気Ａ２は、排気穴４７や上部周壁に設けた複数の排気穴４９からスムーズに外部に排気される。
【００４０】
このように本実施形態によれば、外部ファンや内部ファンを用いず、また、ＯＮＵ１７に制御機能を持たせることなく、メタルボックス１３内の電子部品１５の放熱を自然空冷で実現することが可能となり、冷却によるファンの騒音問題もなくなり、更に冷却のための保守交換が必要なくなって、信頼性が向上する利点を有する。
【００４１】
また、余長処理ボックス４１内で光ファイバー３９を余長処理すると共に、該余長処理ボックス４１を放熱ボックスとして機能させたため、余長処理ボックス４１を効率よく活用することができる利点を有する。
【００４２】
尚、余長処理ボックス４１内で余長処理せずに、従来と同様、メタルボックス１３内で余長処理を行ってもよいことは勿論である。
【００４３】
また、前記実施形態では、ヒートシンク５の下側を上方へ正面視円弧状に切り欠かれた如き形状としたが、例えばヒートシンク５の下側を一方向へ傾斜させる如き形状としても、前記実施形態と同様、所期の目的を達成することが可能である。
【符号の説明】
【００４４】
１  屋外ボックス
３  屋外ボックスの背面
５，２３  ヒートシンク
７，９  ヒートシンク挿通口
１３  メタルボックス
１５  電子部品
１７  ＯＮＵ（屋外設置装置）
１９  プリント基板
２５，２７  放熱穴
３３  Ｏ−リング
３７  プレート
３９  光ファイバー
４１  余長処理ボックス（放熱ボックス）
４３，４５  吸気穴
４７，４９  排気穴
５１，５３，５５，５７  整流ガイド板
５９，６１  空間
６３  取付ブラケット
６５  屋外壁面
【図１】
2010238706.tif 000003
【図２】
2010238706.tif 000004
【図３】
2010238706.tif 000005
【図４】
2010238706.tif 000006